(57)【要約】【課題】  複数部数のコピーを行なった後、ある目的の頁を取り出すときに色紙等新たに準備しなくても、簡易な方法で必要な頁を判別することができる画像形成装置を提供する。【解決手段】  画像情報を複数の頁分記憶する記憶手段と、複数の給紙口を有する給紙手段と、前記記憶手段に記憶された画像情報を頁単位で９０°回転して記録紙に記録する回転手段を有する画像形成装置において、前記記憶された複数の頁のうちの少なくとも１頁を指定する指定手段を備え、前記画像情報の複数の頁を一部単位として複数の部数を出力する場合、前記部数の１部毎に前記指定された頁を前記回転手段により回転し排出する制御手段を備えている。【選択図】  図４  
2005178226.tif 000002
【特許請求の範囲】
【請求項１】
画像情報を複数の頁分記憶する記憶手段と、複数の給紙口を有する給紙手段と、前記記憶手段に記憶された画像情報を頁単位で９０°回転して記録紙に記録する回転手段を有する画像形成装置において、前記記憶された複数の頁のうちの少なくとも１頁を指定する指定手段を備え、前記画像情報の複数の頁を一部単位として複数の部数を出力する場合、前記部数の１部毎に前記指定された頁を前記回転手段により回転し排出する制御手段を備えていることを特徴とする画像形成装置。
【請求項２】
前記指定手段は、操作部により指定することを特徴とする請求項１に記載の画像形成装置。
【請求項３】
複数の原稿を読取り、画像情報を前記記憶手段に記憶する原稿読み取り手段を備え、前記画像情報の所定の位置に指定情報が記憶されているかを判定する前記指定手段を備えることを特徴とする請求項１に記載の画像形成装置。
【発明の詳細な説明】
【技術分野】
【０００１】
本発明は、デジタル方式の画像形成装置に関するものである。
【背景技術】
【０００２】
従来の複写機において、複数の原稿から複数部数のコピーを行う場合に、仕分けを行うために、複数のビンからなる専用のソーターを装備し行っていた。このため機械が大型化し機械コストも掛かってしまっていた。そこで、最近のデジタル複写機においては、専用のソーターを装備することなく簡易なソートを行うことができるものが提案されている。（特許文献１）
この複写機は、同一サイズの記録紙を縦方向と横方向に収納された複数の各給紙カセットから縦方向と横方向の記録紙を各部数毎に交互に給紙し、原稿画像と同じ方向で給紙される記録紙に対してはそのまま画像を形成し、一方、原稿画像と異なる向きで給紙される記録紙に対しては画像情報を９０°回転させて画像形成を行うことにより、コピーされた記録紙の方向が一部ずつ交互に異なるような状態とし、簡易な仕分けを行うようにしたものである。
【０００３】
また、各部数毎に頁を指定し指定された頁の後に、例えば色の付いた記録紙を給紙させて、章分け等を分かり易くする、合紙機能を備えたものもある。
【特許文献１】特公平３−７９５４１号公報
【発明の開示】
【発明が解決しようとする課題】
【０００４】
例えば、モノクロの画像形成装置を用いて、複数部数のコピーを行なった後、ある頁に色のついたマーカーである部分をマーキングし強調したいとき、上記のようなソート機能により仕分けし、マーキングしたい頁の前、或いは後ろに合紙機能を利用して色のついた紙を挿入させておき、コピー終了後にマーキングしたい頁を取り出しマーキングすることができる。
【０００５】
しかしながら、上記の方法では色の付いた紙を準備する必要があり、また、目的の頁を取り出すときに取り出しにくいという問題があった。このように、何らかの強調したい頁や加工したい頁を容易に判別および操作できる方法が無かった。
【０００６】
本発明は、上記のような問題点を解消するためになされたものであり、色紙等新たに準備しなくても、簡易な方法で必要な頁を判別することができる画像形成装置を提供できることを目的とする。
【課題を解決するための手段】
【０００７】
本発明の、特許請求範囲第１項に係わる画像形成装置は、画像情報を複数の頁分記憶する記憶手段と、複数の給紙口を有する給紙手段と、前記記憶手段に記憶された画像情報を頁単位で９０°回転して記録紙に記録する回転手段を有する画像形成装置において、前記記憶された複数の頁のうちの少なくとも１頁を指定する指定手段を備え、前記画像情報の複数の頁を一部単位として複数の部数を出力する場合、前記部数の１部毎に前記指定された頁を前記回転手段により回転し排出する制御手段を備えたものである。
【０００８】
本発明の、特許請求範囲第２項に係わる画像形成装置は、請求項１の画像形成装置において、前記指定手段は、操作部により指定することを特徴とするものである。
【０００９】
本発明の、特許請求範囲第３項に係わる画像形成装置は、請求項１の画像形成装置において、複数の原稿を読取り、画像情報を前記記憶手段に記憶する原稿読み取り手段を備え、前記画像情報の所定の位置に指定情報が記憶されているかを判定する前記指定手段を備えることを特徴とするものである。
【発明の効果】
【００１０】
本発明の請求項１の画像形成装置によれば、必要な頁は他の頁と９０°回転されており用紙の向きが縦と横で異なっており一目で分かり、また取り出しも容易である。
【００１１】
本発明の請求項２の画像形成装置によれば、必要な頁を操作部により任意に設定可能となる。
【００１２】
本発明の請求項３の画像形成装置によれば、原稿自身に強調の必要な頁である情報が記載されており、特別な操作を必要とせず強調される。
【発明を実施するための最良の形態】
【００１３】
以下、本発明の実施の形態について説明する。
【００１４】
図１は、本発明の一実施の形態によるデジタル複合機の機械的構成を主に示す概略図である。デジタル複合機は本体部１と、本体部１の下側に配設された第１〜第２の給紙カセット（１１１〜１１２）、バイパス給紙１１４、搬送路１１、レジストローラ対１１５、作像手段１３、転写ローラ１２、定着手段１４、排紙トレイ１７、スキャナ部１８、操作部１８１等から構成される。
【００１５】
給紙手段としての第１〜第２の給紙カセット（１１１〜１１２）及びバイパス給紙１１４にはそれぞれ記録紙が積載されており、記録紙のサイズ、記録紙方向は検知手段（図示せず）により検知される。排紙口―ラ１６により排出された記録紙は排紙トレイ１７に排紙される。
【００１６】
スキャナ部１８には、自動原稿搬送装置１８２が設置されており、原稿トレイ１８３に原稿が積載されている。この原稿１枚ずつ読み取り部（図示せず）まで搬送され読取り部で読み込まれ、原稿排出部に排出される。
【００１７】
通常のコピーをする場合の動作を、引き続き図１を用いて説明する。自動原稿搬送装置１８３に原稿をセットし、操作部１８１のスタートボタンを押すと、この原稿は１枚ずつ読みとり部まで搬送され読み込まれ、原稿排出部に排出される。
【００１８】
第１〜第２の給紙カセット（１１１〜１１２）または給紙バイパス１１４の何れかから給紙された記録紙は、レーザー走査装置１３３から帯電器３２により帯電された感光体ドラム１３１への潜像の書き込みのタイミングとの同期、及び記録紙の先端揃えのため一旦レジストローラ対１１５で停止し、タイミングをみて現像部１３４にてトナーにより現像されたトナー像を転写ローラ１２により記録紙にトナー像を転写し、続いて定着部１４で熱ローラと圧ローラで挟持、加熱されてトナー像が定着され、排紙ローラ１６により排紙トレイ１７に排出される。
【００１９】
図２は、前記の一実施例のデジタル複合機の構成を示す機能ブロック図である。図２において、図1と同一のものは同じ記号で示している。このデジタル複合機は、特に、ソート機能が選択された時、使用すべき記録紙サイズに対して設置されている記録紙が紙送り方向に対して縦方向及び横方向の両方の向きで給紙できる場合において、前述した同一サイズの記録紙を各給紙カセットから縦方向と横方向の記録紙を各部数毎に交互に給紙し、原稿画像と同じ方向で給紙される記録紙に対してはそのまま画像を形成し、一方、原稿画像と異なる向きで給紙される記録紙に対しては画像情報を９０°回転させて画像形成を行うことにより、コピーされた記録紙の方向が一部ずつ交互に異なるような状態とし、簡易な仕分けを行うようにしたものである。その他の構成や機能については、従来のデジタル複合機と基本的に同様である。
【００２０】
デジタル複合機１は、スキャナ部１８、操作部１８１，制御部２００、プリンタ部２３０，画像処理部２２０、ＨＤＤ（ハードディスクドライブ：記憶手段）２１０を備える。スキャナ部１８は、露光ランプ及びＣＣＤ（電荷結合素子）を含み、スキャナ部１８は、自動原稿搬送部１８２により１枚ずつ搬送される原稿を露光ランプにより照射し、その反射光をＣＣＤで受光することにより、原稿から画像を読み取り、読み取った画像に対する画像データを画像処理部２２０へ出力する。画像処理部（回転手段）２２０は、読み取られた画像データを必要に応じてレベル補正、γ補正等の補正処理を行い、必要に応じて画像データの拡大又は縮小処理、回転等の加工処理を行う。
【００２１】
プリンタ部は、作像手段１３、給紙・搬送手段２３１，定着手段１４を含む。作像手段１３は、感光体ドラム１３１、現像手段１３４、転写ローラ１２、クリーニング手段１３５等からなり、レーザー走査手段１３３により画像データにより変調された光により露光された静電潜像を現像手段１３４のトナーにより現像する。現像されたトナー像は転写ローラ１２により１枚ずつ搬送される記録紙に転写され、定着手段１４により定着される。定着された記録紙は、排出トレイ１７に排出される。
【００２２】
制御部２００は装置各部を制御するＣＰＵ（Central  Processing  Unit）２０１と、プログラムデータ等が記憶されているＲＯＭ２０２（Read  Only  Memory）と、ＣＰＵ２０１の作業領域として用いられるＲＡＭ（Random  Access  Memory）２０３を備える。操作部１８１には図示しないプリントボタン、テンキーなどのキー入力手段、各ガイダンス、警告を表示するタッチパネル付きのＬＣＤ等の表示部を含み、ソート機能を実行するための指示手段が付加されており、このソート機能を選択することにより、ソート機能が実行されるようになっている。
【００２３】
図３は、このデジタル複合機による前記ソート処理動作時に、指定した頁を９０°回転処理する処理動作の流れを示すフローチャートである。
【００２４】
原稿トレイ１８３に原稿をセットし、操作部１８１よりソート機能の設定画面に入る。この時の設定画面を図４に示す。ソート選択キー３１及び３２でソートを行うかを選択し、コピー部数をテンキー等で設定する。図中ソートするが選択されている（網掛け部は選択されていることを示す）。また、回転処理を行うかどうかの選択を行うキー３３，３４が表示されており、回転処理なし３４を選択すると通常のソート動作が行われる。回転処理あり３３を選択すると、回転処理動作が開始される。まず、給紙手段２３１に同一サイズの縦、横方向の用紙がセットされているかを判断する（ステップＳ１、Ｓ２）。用紙がセットされていないときは（ステップＳ２のＮＯ）、表示部に用紙の交換、又は用紙セット方向の変更を促す表示を行う（ステップＳ３）。その後、回転処理がキャンセルされたか否か、即ち回転処理なしキー３４が選択されたかを判定し（ステップＳ４）、キャンセルされると回転処理動作は終了する（ステップＳ４のＹＥＳ）。
キャンセルされなければ（ステップＳ４のＮＯ）、ステップＳ１に戻り所望の用紙がセットされるまでステップＳ３の表示が行われる。
【００２５】
給紙手段２３１に同一サイズの縦、横方向の用紙がセットされていると（ステップＳ２のＹＥＳ）、回転処理する頁の指定が可能となり、操作部１８１のテンキー等により頁を指定する。図４に示すようにテンキーの入力により頁が入力されると頁表示部３６に表示される。頁の指定は１頁毎複数行っても良く、指定頁が連続する場合は、１０−１６（１０頁から１６頁まで連続で指定）のように指定しても良い。
【００２６】
頁の指定が入力されないと（ステップＳ５のＮＯ）、回転処理がキャンセルされたか否か、即ち回転処理無しキー３４が選択されたかを判定し（ステップＳ６）、キャンセルされると回転処理動作は終了する（ステップＳ６のＹＥＳ）。キャンセルされなければ、頁が指定されるまで待つ（ステップＳ６のＮＯ）。
【００２７】
頁指定が入力されると（ステップＳ５のＹＥＳ）、プリントキーのＯＮでコピー動作がスタートする（ステップＳ７のＹＥＳ）。まず、原稿トレイ１８３にセットされた原稿を1枚ずつ読取り、ＨＤＤ２１０に記憶する。原稿の読取りが終了すると（ステップＳ８のＹＥＳ）、印刷が１部ずつ開始される（ステップＳ９）。このとき、印刷頁が頁表示部３６に指定された頁と一致するかが判断され、一致しなければ（ステップS１０のＮＯ）通常方向で印刷され（ステップS１１）、一致していれば（ステップS１０のＹＥＳ）、９０°画像を回転し別方向の用紙に印刷される（ステップS１４）。その後最終頁か判断され、最終頁でなければ（ステップＳ１２のＮＯ）、ステップＳ１０にもどり同様の処理が繰返される。
最終頁の印刷が終了すると（ステップＳ１２のＹＥＳ）、最終部数目の印刷が終了したかが判断され、最終部数目でなければ（ステップＳ１３のＮＯ）、再びステップＳ１０に戻り、次部数の１頁目から印刷が行われる。最終部数目が終了したら（ステップＳ１３のＹＥＳ）、回転処理動作は終了する。
【００２８】
前記実施例では、操作部１８１のテンキー等により頁を指定する構成を説明したが、指定頁を判別する方法は、これに限られない。例えば原稿自体に強調の必要な頁である情報を付加しておく事ができる。以下にこの構成を説明する。なお、デジタル複合機の構成、機能ブロック図は前記実施例と同一であり説明は省略する。
【００２９】
原稿の所定の位置には、強調の必要な頁である指定情報として、例えば記号（△、▲、＊等）が印刷されている。たとえば、前記実施例での指定頁の印刷時に前記マークを合成して印刷することも可能である。
【００３０】
指定頁かどうかの判別は、読取った画像の画像データとＲＯＭ２０２に記憶された、例えば前述の指定情報としての記号のパターン情報とのデータを、すでに公知のパターンマッチング法等により判別し指定することができる。
【００３１】
動作フローは前記とほぼ同様であるが、図５に示すように設定画面図４に、頁自動認識キー３７が追加されており、この頁自動認識キー３７を選択しプリントキーを押す事により、頁指定キー３６に入力がされてなくてもコピーがスタートする。
【００３２】
また、指定頁かの判断は先に述べたように、読取った画像の画像データとＲＯＭ２０２に記憶された、前述の指定情報としての記号のパターン情報とのデータを、マッチング法により判別する。すなわち、指定情報の記号を有する原稿と判断されたときは、その原稿は指定頁であると判断し回転処理が行われる。
【図面の簡単な説明】
【００３３】
【図１】本発明の実施例に係るデジタル複合機の全体構成を示す概要図である。
【図２】本発明の実施例に係るデジタル複合機の電気的構成例を主に示すブロック図である。
【図３】本発明の回転処理動作の流れを示すフローチャートである。
【図４】本発明の操作部の表示部を示す説明図である。
【図５】本発明の操作部の表示部を示す別形態の説明図である。
【符号の説明】
【００３４】
１  デジタル複合機
１１１、１１２  給紙カセット
１３  作像手段
１４  定着手段
１５  反転手段
１８  スキャナ部
１８１  操作部
２００  制御部
２０１  ＣＰＵ
２１０  ＨＤＤ
２２０  画像処理部
２３０  プリンタ部
【図１】
2005178226.tif 000003
【図２】
2005178226.tif 000004
【図３】
2005178226.tif 000005
【図４】
2005178226.tif 000006
【図５】
2005178226.tif 000007